(57)【要約】【課題】外観品質を向上させつつ、組立工数を削減すること。【解決手段】建具は、フレーム材を備える。フレーム材の少なくとも一部は、互いに異なる領域にそれぞれ設けられたラミネートシート６及び塗膜７により加飾されている。ラミネートシート６及び塗膜７が隣接する境界領域Ｒｅでは、ラミネートシート６及び塗膜７が重なり合っている。【選択図】図５
2018193703.tif 000002
【特許請求の範囲】
【請求項１】
フレーム材を備えた建具であって、
前記フレーム材の少なくとも一部は、
互いに異なる領域にそれぞれ設けられたラミネートシート及び塗膜により加飾され、
前記ラミネートシート及び前記塗膜が隣接する境界領域では、
当該ラミネートシート及び当該塗膜が重なり合っている
ことを特徴とする建具。
【請求項２】
前記塗膜は、
着色された着色層と、
前記着色層よりも高い耐候性を有し、当該着色層上に積層された透明保護層とを備え、
前記境界領域では、
前記着色層上に前記ラミネートシートが重なり合い、当該ラミネートシート上に前記透明保護層が重なり合っている
ことを特徴とする請求項１に記載の建具。
【請求項３】
前記塗膜は、
着色された着色層と、
前記着色層よりも高い耐候性を有し、当該着色層上に積層された透明保護層とを備え、
前記境界領域では、
前記ラミネートシート上に前記塗膜が重なり合っている
ことを特徴とする請求項１に記載の建具。
【請求項４】
前記塗膜は、
着色された着色層と、
前記着色層よりも高い耐候性を有し、当該着色層上に積層された透明保護層とを備え、
前記境界領域では、
前記着色層上に前記ラミネートシートが重なり合うとともに、当該着色層上における当該ラミネートシートを避けた領域に前記透明保護層が積層されている
ことを特徴とする請求項１に記載の建具。
【請求項５】
当該建具は、
建物の開口部の縁部に沿って設けられた窓枠と、
前記窓枠内に配置され、第１框部材にて面材の外周縁部を支持した外障子と、
前記窓枠内において、前記外障子に対して室内側に配置され、第２框部材にて面材の外周縁部を支持した内障子とを備え、
前記フレーム材は、
前記窓枠、前記第１框部材、及び前記第２框部材であり、
前記窓枠には、
前記外障子及び前記内障子の外周縁部がそれぞれ収容される収容溝と、
前記収容溝の底部から突出し、前記外障子を移動可能に支持する第１レール部と、
前記収容溝の底部から突出し、前記内障子を移動可能に支持する第２レール部とが設けられ、
前記第１レール部及び前記第２レール部の少なくとも一方は、
前記塗膜のみにより加飾されている
ことを特徴とする請求項１〜４のいずれか一つに記載の建具。
【請求項６】
前記第１レール部及び前記第２レール部間は、
カバー部材が取り付けられることにより加飾されている
ことを特徴とする請求項５に記載の建具。
【発明の詳細な説明】
【技術分野】
【０００１】
本発明は、フレーム材を備えた建具に関する。
【背景技術】
【０００２】
従来、引違い窓等の建具において、プラスチック製の化粧シートにより窓枠の表面を加飾して外観品質を向上させた構成が知られている（例えば、特許文献１参照）。
特許文献１に記載の構成では、窓枠を構成する形材に凹凸があると化粧シートを貼り付けることが困難になるため、凹凸部位（例えば、障子を移動可能に支持するレール）を窓枠（下枠）とは別体で構成している。
【先行技術文献】
【特許文献】
【０００３】
【特許文献１】実開昭６２−１１３２７２号公報
【発明の概要】
【発明が解決しようとする課題】
【０００４】
しかしながら、特許文献１に記載の構成では、部材点数が増加するため、当該部材を組み立てる組立工数が増加してしまう、という問題がある。
【０００５】
本発明は、上記実情に鑑みて、外観品質を向上させつつ、組立工数を削減することができる建具を提供することを目的とする。
【課題を解決するための手段】
【０００６】
上記目的を達成するため、本発明に係る建具は、フレーム材を備えた建具であって、前記フレーム材の少なくとも一部は、互いに異なる領域にそれぞれ設けられたラミネートシート及び塗膜により加飾され、前記ラミネートシート及び前記塗膜が隣接する境界領域では、当該ラミネートシート及び当該塗膜が重なり合っていることを特徴とする。
【０００７】
本発明では、フレーム材の少なくとも一部は、互いに異なる領域にそれぞれ設けられたラミネートシート及び塗膜により加飾されている。このため、ラミネートシート及び塗膜により建具の外観品質を向上させることができる。また、フレーム材において、例えば、ラミネートシートを貼り付けることが困難なものとなる凹凸部位には塗膜を形成し、その他の部位にはラミネートシートを貼り付けることができる。すなわち、凹凸部位をフレーム材とは別体で構成する必要がなく、部材点数及び組立工数を削減することができ、結果として、製造コストを低減することができる。また、凹凸部位をフレーム材とは別体で構成した場合には強度等の品質にバラつきが生じ易いところ、凹凸部位をフレーム材に一体形成することができるため、当該品質のバラつきを抑制することができる。
また、本発明では、ラミネートシート及び塗膜が隣接する境界領域では、当該ラミネートシート及び当該塗膜が重なり合っている。このため、境界領域において、ラミネートシートと塗膜とが離間してフレーム材における下地の色合いが見えてしまうことがない。すなわち、建具の外観品質をさらに向上させることができる。
【０００８】
また、本発明は、上述した建具において、前記塗膜は、着色された着色層と、前記着色層よりも高い耐候性を有し、当該着色層上に積層された透明保護層とを備え、前記境界領域では、前記着色層上に前記ラミネートシートが重なり合い、当該ラミネートシート上に前記透明保護層が重なり合っていることを特徴とする。
ところで、透明保護層は、一般的に、耐候性、耐薬品性、耐擦傷性を上げるため、樹脂架橋密度を高くして塗膜表面を安定化させて、外部からの影響を受け難くするために用いられる。このため、透明保護層上には、ラミネートシートを貼り付けるための接着剤も接着し難いものとなる。すなわち、境界領域において、透明保護層上にラミネートシートを重ね合わせた場合には、当該透明保護層からラミネートシートが剥がれ、建具の外観品質が損なわれる虞がある。
本発明では、境界領域では、着色層上にラミネートシートが重なり合い、当該ラミネートシート上に透明保護層が重なり合っている。このため、境界領域での上述したラミネートシートの剥がれが生じることがなく、建具の外観品質を良好に維持することができる。
また、着色層は、塗装（例えば、吹き付け塗装）により形成されるため、エッジ部分において色むらが生じる虞がある。一方、ラミネートシートは、シートであるため、エッジ部分においても色むらが生じない。このため、境界領域において、着色層上にラミネートシートを重ねることにより、着色層におけるエッジ部分の上述した色むらをラミネートシートで覆い隠すことができ、建具の外観品質をさらに向上させることができる。
【０００９】
また、本発明は、上述した建具において、前記塗膜は、着色された着色層と、前記着色層よりも高い耐候性を有し、当該着色層上に積層された透明保護層とを備え、前記境界部分では、前記ラミネートシート上に前記塗膜が重なり合っていることを特徴とする。
本発明では、境界領域では、ラミネートシート上に塗膜が重なり合っている。このため、境界領域での上述したラミネートシートの剥がれが生じることがなく、建具の外観品質を良好に維持することができる。
また、フレーム材を製造する際には、境界領域でラミネートシート上に塗膜が重なるように、当該フレーム材に対して、ラミネートシートを貼り付ける設備で当該ラミネートシートを貼り付けた後、塗膜を形成する設備で当該塗膜を形成する。すなわち、着色層及び透明保護層を一度に形成することができるため、フレーム材を最低限の工程で製造することができ、結果として、製造コストを低減することができる。
【００１０】
また、本発明は、上述した建具において、前記塗膜は、着色された着色層と、前記着色層よりも高い耐候性を有し、当該着色層上に積層された透明保護層とを備え、前記境界領域では、前記着色層上に前記ラミネートシートが重なり合うとともに、当該着色層上における当該ラミネートシートを避けた領域に前記透明保護層が積層されていることを特徴とする。
本発明では、境界領域では、着色層上にラミネートシートが重なり合うとともに、当該着色層上における当該ラミネートシートを避けた領域に透明保護層が積層されている。このため、境界領域での上述したラミネートシートの剥がれが生じることがなく、建具の外観品質を良好に維持することができる。また、境界領域において、着色層上にラミネートシートを重ねることにより、着色層におけるエッジ部分の上述した色むらをラミネートシートで覆い隠すことができ、建具の外観品質をさらに向上させることができる。
また、フレーム材を製造する際には、着色層の一部が透明保護層からはみ出るように、当該フレーム材に対して、塗膜を形成する設備で当該塗膜を形成する。この後、当該はみ出した着色層上にラミネートシートが重なるように、ラミネートシートを貼り付ける設備で当該ラミネートシートを貼り付ける。すなわち、着色層及び透明保護層を一度に形成することができるため、フレーム材を最低限の工程で製造することができ、結果として、製造コストを低減することができる。
【００１１】
また、本発明は、上述した建具において、当該建具は、建物の開口部の縁部に沿って設けられた窓枠と、前記窓枠内に配置され、第１框部材にて面材の外周縁部を支持した外障子と、前記窓枠内において、前記外障子に対して室内側に配置され、第２框部材にて面材の外周縁部を支持した内障子とを備え、前記フレーム材は、前記窓枠、前記第１框部材、及び前記第２框部材であり、前記窓枠には、前記外障子及び前記内障子の外周縁部がそれぞれ収容される収容溝と、前記収容溝の底部から突出し、前記外障子を移動可能に支持する第１レール部と、前記収容溝の底部から突出し、前記内障子を移動可能に支持する第２レール部とが設けられ、前記第１レール部及び前記第２レール部の少なくとも一方は、前記塗膜のみにより加飾されていることを特徴とする。
【００１２】
ところで、ラミネートシートと塗膜とを比較した場合に、ラミネートシートの厚み寸法は、塗膜の厚み寸法よりも大きいものである。そして、例えば、第１レール部をラミネートシートにより加飾した場合には、当該ラミネートシートの厚み寸法分、外障子と第１レール部との隙間が小さくなり、外障子を移動する際の開閉力が増加してしまう。
本発明では、第１，第２レール部の少なくとも一方は、ラミネートシートよりも厚み寸法が小さい塗膜のみにより加飾されている。このため、上述した隙間を大きく確保することができ、上述した開閉力の増加を回避することができる。
【００１３】
また、本発明は、上述した建具において、前記第１レール部及び前記第２レール部間は、カバー部材が取り付けられることにより加飾されていることを特徴とする。
本発明によれば、ラミネートシートや塗膜を設けることが困難な第１，第２レール部間についてもカバー部材により加飾することができ、建具の外観品質をさらに向上させることができる。
【発明の効果】
【００１４】
本発明に係る建具によれば、外観品質を向上させつつ、組立工数を削減することができる、という効果を奏する。
【図面の簡単な説明】
【００１５】
【図１】本実施の形態１に係る建具を室内側から見た図である。
【図２】図１に示したII-II線の端面図である。
【図３】図１に示したIII-III線の端面図である。
【図４】図１に示したIV-IV線の端面図である。
【図５】ラミネートシート及び塗膜が隣接する境界領域を示す図である。
【図６】本実施の形態２に係る境界領域を示す図である。
【図７】本実施の形態３に係る境界領域を示す図である。
【発明を実施するための形態】
【００１６】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１７】
（実施の形態１）
〔建具の概略構成〕
図１は、本実施の形態１に係る建具１を室内側から見た図である。図２は、図１に示したII-II線の端面図である。図３は、図１に示したIII-III線の端面図である。図４は、図１に示したIV-IV線の端面図である。
なお、以下で記載する「見込み方向」は、図２ないし図４の矢印Ａｒで示すように、建具１の奥行きに沿った方向である。見込み方向に沿った平面については、見込み面と称し、見込み方向に直交する平面については、見付け面と称する場合がある。
建具１は、窓枠２と、外障子３と、内障子４と、網戸５とを備える。すなわち、本実施の形態１に係る建具１は、引違い窓で構成されている。
【００１８】
窓枠２は、本発明に係るフレーム材に相当する。この窓枠２は、上枠２１、下枠２２、図１，図４中、左側に位置する左縦枠２３、及び図１，図４中、右側に位置する右縦枠２４を四周枠組みすることによって構成され、建物の開口部Ｏｐ（図１）の縁部に沿うように取り付けられる。
これら各枠部材２１〜２４は、塩化ビニル樹脂（ＰＶＣ）等の樹脂製、またはアルミニウム等の金属製の押し出し形材であり、全長に亘って略一様な断面形状を有する。
【００１９】
上枠２１は、基体２１１と、室外側壁部２１２と、室内側壁部２１３と、第１，第２固定用ヒレ部２１４，２１５とを備える。
基体２１１は、開口部Ｏｐの縁部に沿って延在した角筒形状を有する。
室外側壁部２１２及び室内側壁部２１３は、基体２１１における室外側の端部及び室内側の端部からそれぞれ下方側に突出した部分である。
ここで、室外側壁部２１２と、室内側壁部２１３と、基体２１１の下方側の見込み面とで形成される断面視Ｕ字状の収容溝２１６には、外障子３及び内障子４の上端部がそれぞれ収容される。また、収容溝２１６の底部分（基体２１１の下方側の見込み面）には、当該底部分から下方側にそれぞれ突出し、見込み方向に並設される第１，第２壁部２１７，２１８が設けられている。
第１固定用ヒレ部２１４は、基体２１１の上方側の見込み面から上方側に突出し、ネジＳｃ１により建物の躯体（図示略）に固定される部分である。
第２固定用ヒレ部２１５は、室内側壁部２１３の室内側の見付け面から室内側に突出し、窓枠２に対して室内側に並設される内装材（図示略）に対してネジＳｃ２により固定される部分である。
【００２０】
下枠２２、左縦枠２３、及び右縦枠２４は、上枠２１とそれぞれ同様の構成を有する。このため、下枠２２、左縦枠２３、及び右縦枠２４の構成については、上枠２１と同様の構成に同一の符号を付してその詳細な説明を省略する。
なお、下枠２２において、第１，第２壁部２１７，２１８の先端には、レール部２１７ａ，２１８ａがそれぞれ取り付けられている。また、下枠２２において、基体２１１の下方側の見込み面には、ブラケット（図示略）が係止される係止片２１９が形成されている。当該ブラケットは、窓枠２を支持するピース状の部材であり、下枠２２における第１固定用ヒレ部２１４とともにネジＳｃ１により建物の躯体に固定される。
【００２１】
外障子３は、内障子４に対して室外側に位置し、窓枠２に対して図１，図４中、左右方向に移動可能に取り付けられている。この外障子３は、ガラス材等で構成された面材３１と、第１框部材３２とを備える。
第１框部材３２は、本発明に係るフレーム材に相当する。この第１框部材３２は、上框３３と、下框３４と、戸先框３５と、召合せ框３６とを框組みすることにより構成され、内部で面材３１の外周縁部を保持する。
これら各框部材３３〜３６は、塩化ビニル樹脂（ＰＶＣ）等の樹脂製、またはアルミニウム等の金属製の押し出し形材であり、全長に亘って略一様な断面形状を有する。
【００２２】
上框３３は、基体３３１と、面材保持部３３２と、室外側ヒレ部３３３と、室内側ヒレ部３３４とを備える。
基体３３１は、上框３３の長手方向に沿って延在する角筒形状を有する。この基体３３１において、下方側の見込み面の室外側には、上方側に窪む押縁係合溝３３５が形成されている。そして、押縁係合溝３３５には、塩化ビニル樹脂（ＰＶＣ）等の樹脂製の押縁３３６が取り付けられる。
面材保持部３３２は、基体３３１において、下方側の見込み面の室内側の縁部から下方側に突出した部分である。
そして、面材３１の上端部は、面材保持部３３２と、押縁３３６と、基体３３１の下方側の見込み面とで形成される断面視Ｕ字状の溝部３３７に配置された状態で保持される。
室外側ヒレ部３３３及び室内側ヒレ部３３４は、基体３３１において、上方側の見込み面の室外側及び室内側の各縁部から上方側にそれぞれ突出した部分である。これら室外側ヒレ部３３３及び室内側ヒレ部３３４において、先端側で互いに対向する各位置には、止水材Ｓｅがそれぞれ取り付けられている。
【００２３】
下框３４、戸先框３５、及び召合せ框３６は、上框３３とそれぞれ同様の構成を有する。このため、下框３４、戸先框３５、及び召合せ框３６の構成については、上框３３と同様の構成に同一の符号を付してその詳細な説明を省略する。
なお、召合せ框３６において、室外側ヒレ部３３３及び室内側ヒレ部３３４は、省略されている。また、召合せ框３６において、基体３３１の室内側の見付け面には、第１係合部３３８が形成されている。この第１係合部３３８は、当該見付け面の図４中、右側の縁部から室内側に突出した第１突出部３３８ａと、当該第１突出部３３８ａの先端から戸先側に屈曲して延在した第１屈曲部３３８ｂとを備え、断面視Ｌ字形状を有する。
【００２４】
そして、上框３３において、室外側ヒレ部３３３と、室内側ヒレ部３３４と、基体３３１の上方側の見込み面とで形成される断面視Ｕ字状の溝部３３９には、上枠２１に形成された第１壁部２１７の先端部分が挿入される。また、下框３４の溝部３３９には、下枠２２に形成された第１壁部２１７の先端部分が挿入される。さらに、当該第１壁部２１７の先端部分に形成されたレール部２１７ａは、下框３４の基体３３１に取り付けられた戸車部（図示略）に当接する。そして、上下一対の第１壁部２１７は、外障子３を図１，図４中、左右方向に移動可能に支持する。すなわち、上下一対の第１壁部２１７は、本発明に係る第１レール部に相当する。また、外障子３を閉じた状態では、当該外障子３は、戸先框３５の溝部３３９に右縦枠２４に形成された第１壁部２１７の先端部分が挿入され、当該第１壁部２１７に係合する。
【００２５】
内障子４は、ガラス材等で構成された面材４１と、第２框部材４２とを備え、窓枠２に対して図１，図４中、左右方向に移動可能に取り付けられている。
第２框部材４２は、本発明に係るフレーム材に相当する。この第２框部材４２は、第１框部材３２と同様の構成を有する。このため、第２框部材４２の構成については、第１框部材３２と同様の構成に同一の符号を付してその詳細な説明を省略する。
なお、内障子４の召合せ框３６には、第１係合部３３８の代わりに第２係合部３３０が設けられている。第２係合部３３０は、基体３３１の室外側の見付け面から室外側に突出した第２突出部３３０ａと、当該第２突出部３３０ａの先端から戸先側に屈曲して延在した第２屈曲部３３０ｂとを備え、断面視Ｌ字形状を有する。
【００２６】
そして、内障子４において、上框３３の溝部３３９には、上枠２１に形成された第２壁部２１８の先端部分が挿入される。また、下框３４の溝部３３９には、下枠２２に形成された第２壁部２１８の先端部分が挿入される。さらに、当該第２壁部２１８の先端部分に形成されたレール部２１８ａは、下框３４の基体３３１に取り付けられた戸車部（図示略）に当接する。そして、上下一対の第２壁部２１８は、内障子４を図１，図４中、左右方向に移動可能に支持する。すなわち、上下一対の第２壁部２１８は、本発明に係る第２レール部に相当する。また、内障子４を閉じた状態では、当該内障子４は、戸先框３５の溝部３３９に左縦枠２３に形成された第２壁部２１８の先端部分が挿入され、当該第２壁部２１８に係合する。さらに、外障子３及び内障子４を閉じた状態では、第１，第２係合部３３８，３３０が互いに係合し、クレセントＣＲ（図１）によってロック可能となる。当該クレセントＣＲによりロックすることにより、外障子３及び内障子４は、開口部Ｏｐを閉塞した状態に保持される。
【００２７】
網戸５は、外障子３に対して室外側に位置し、窓枠２に対して図１，図４中、左右方向に移動可能に取り付けられている。この網戸５は、網５１と、網戸框５２とを備える。
網戸框５２は、本発明に係るフレーム材に相当する。この網戸框５２は、上框５３と、下框５４と、一対の縦框５５，５６とを框組みすることにより構成され、内部で網５１を保持する。そして、網戸框５２は、上枠２１及び下枠２２に形成された室外側壁部２１２に係合しつつ、図１，図４中、左右方向に移動可能とする。
これら各框部材５３〜５６は、塩化ビニル樹脂（ＰＶＣ）等の樹脂製、またはアルミニウム等の金属製の押し出し形材であり、全長に亘って略一様な断面形状を有する。
【００２８】
本実施の形態では、上述した窓枠２、第１，第２框部材３２，４２、及び網戸框５２において、外障子３及び内障子４にて開口部Ｏｐを閉塞した時での室外側からの見え掛かり部分は、略同一の色合いであるラミネートシート６、塗膜７、及びカバー部材８により加飾されている。なお、窓枠２及び第１，第２框部材３２，４２の下地の色合いは、略同一である。また、網戸框５２の下地の色合いは、窓枠２及び第１，第２框部材３２，４２の下地の色合いとは異なり、ラミネートシート６と略同一の色合いを有する。すなわち、本実施の形態では、ラミネートシート６、塗膜７、及びカバー部材８により、外障子３及び内障子４にて開口部Ｏｐを閉塞した時での室内側からの見え掛かり部分の色合い（窓枠２及び第１，第２框部材３２，４２の下地の色合い（以下、内観色と記載））と室外側からの見え掛かり部分の色合い（以下、外観色と記載）とを異なるものとしている。
以下、ラミネートシート６、塗膜７、及びカバー部材８の構成について説明する。
【００２９】
〔ラミネートシート、塗膜、及びカバー部材の構成〕
ラミネートシート６は、例えば、オレフィン樹脂、塩化ビニル樹脂、あるいはアクリル樹脂等で構成され、内観色とは異なる外観色の色合いを有するシートであり、例えば０．２ｍｍ程度の厚み寸法を有する。そして、ラミネートシート６は、ウレタン系樹脂、アクリル系樹脂、あるいはポリエステル系樹脂からなる接着剤を介して、窓枠２、第１，第２框部材３２，４２、及び網戸框５２における室外側からの見え掛かり部分に貼り付けられている。
【００３０】
具体的に、窓枠２には、以下の位置にラミネートシート６が貼り付けられている。
ラミネートシート６は、基体２１１の外周側の見込み面における第１固定用ヒレ部２１４より室外側の位置から室外側壁部２１２の室内側の見付け面における内周側の位置まで連続し、上枠２１、下枠２２、左縦枠２３、及び右縦枠２４の全長に亘って貼り付けられている。なお、ラミネートシート６は、下枠２２において、係止片２１９の位置で一部不連続になっている。
ここで、窓枠２で用いた上記「外周側」とは、窓枠２の外周側であって、上枠２１であれば上方側を意味し、下枠２２であれば下方側を意味し、左縦枠２３であれば図１，図４中、左側を意味し、右縦枠２４であれば図１，図４中、右側を意味する。また、窓枠２で用いた上記「内周側」とは、窓枠２の内周側であって、上枠２１であれば下方側を意味し、下枠２２であれば上方側を意味し、左縦枠２３であれば図１，図４中、右側を意味し、右縦枠２４であれば図１，図４中、左側を意味する。
【００３１】
また、第１框部材３２には、以下の位置にラミネートシート６が貼り付けられている。
ラミネートシート６は、上框３３、下框３４、及び戸先框３５において、室外側ヒレ部３３３の外周側の見込み面における室内側の位置から押縁３３６の内周側の位置まで連続し、上框３３、下框３４、及び戸先框３５の全長に亘って貼り付けられている。また、ラミネートシート６は、召合せ框３６において、第１突出部３３８ａの外周側の面における室内側の位置から押縁３３６の内周側の位置まで連続し、召合せ框３６の全長に亘って貼り付けられている。
ここで、第１框部材３２で用いた上記「外周側」とは、第１框部材３２の外周側であって、上框３３であれば上方側を意味し、下框３４であれば下方側を意味し、戸先框３５であれば図１，図４中、左側を意味し、召合せ框３６であれば図１，図４中、右側を意味する。また、第１框部材３２で用いた上記「内周側」とは、第１框部材３２の内周側であって、上框３３であれば下方側を意味し、下框３４であれば上方側を意味し、戸先框３５であれば図１，図４中、右側を意味し、召合せ框３６であれば図１，図４中、左側を意味する。
【００３２】
また、第２框部材４２には、以下の位置にラミネートシート６が貼り付けられている。
ラミネートシート６は、上框３３、下框３４、及び戸先框３５において、室外側ヒレ部３３３の外周側の見込み面における室内側の位置から押縁３３６の内周側の位置まで連続し、上框３３、下框３４、及び戸先框３５の全長に亘って貼り付けられている。また、ラミネートシート６は、召合せ框３６において、基体３３１の室外側の見付け面における外周側の位置から第２屈曲部３３０ｂの室外側の面における内周側の位置まで連続し、召合せ框３６の全長に亘って貼り付けられている。さらに、ラミネートシート６は、召合せ框３６において、基体３３１の室外側の見付け面における第２突出部３３０ａの内周側の位置から押縁３３６の内周側の位置まで連続し、召合せ框３６の全長に亘って貼り付けられている。
ここで、第２框部材４２で用いた上記「外周側」とは、第２框部材４２の外周側であって、上框３３であれば上方側を意味し、下框３４であれば下方側を意味し、戸先框３５であれば図１，図４中、右側を意味し、召合せ框３６であれば図１，図４中、左側を意味する。また、第２框部材４２で用いた上記「内周側」とは、第２框部材４２の内周側であって、上框３３であれば下方側を意味し、下框３４であれば上方側を意味し、戸先框３５であれば図１，図４中、左側を意味し、召合せ框３６であれば図１，図４中、右側を意味する。
【００３３】
また、網戸框５２には、以下の位置にラミネートシート６が貼り付けられている。
ラミネートシート６は、上框５３、下框５４、及び一対の縦框５５，５６における室外側の各見付け面の全面に貼り付けられている。
【００３４】
塗膜７は、例えば、アクリル系樹脂、あるいはポリエステル系樹脂等の塗料を吹き付け塗装により形成された塗膜であり、４０〜８０μｍ程度の厚み寸法を有する。この塗膜７は、顔料により外観色の色合いに着色された着色層７１と、当該着色層７１よりも高い耐候性を有し、当該着色層７１上に積層された透明保護層７２とで構成される（図５参照）。そして、塗膜７は、窓枠２における室外側からの見え掛かり部分に形成されている。
具体的に、塗膜７は、室外側壁部２１２の室内側の見付け面における基端側の位置から先端側の位置まで連続し、上枠２１、下枠２２、左縦枠２３、及び右縦枠２４の全長に亘って形成されている。また、塗膜７は、第１壁部２１７の室内側の見付け面における基端側の位置から室外側の見付け面の基端側の位置まで連続し、上枠２１、下枠２２、左縦枠２３、及び右縦枠２４の全長に亘って形成されている。なお、下枠２２における第１壁部２１７に形成された塗膜７は、レール部２１７ａにて一部不連続になっている。
【００３５】
そして、ラミネートシート６及び塗膜７が設けられた窓枠２は、以下に示すように製造される。
形材に対して、ラミネートシート６を貼り付ける設備において、当該ラミネートシート６を貼り付ける（ラミネートシート貼付工程）。同様に、形材に対して、塗装を行う設備において、塗膜７を形成する（塗膜形成工程）。次に、ラミネートシート貼付工程及び塗膜形成工程を経た形材を切断し、上枠２１、下枠２２、左縦枠２３、及び右縦枠２４を構成する（切断工程）。そして、これら枠部材２１〜２４を四周枠組みすることにより窓枠２を構成する（枠組み工程）。
なお、ラミネートシート６がそれぞれ設けられた第１，第２框部材３２，４２や網戸框５２も上述したラミネート貼付工程、切断工程、及び枠組み工程により製造される。
【００３６】
また、本実施の形態では、ラミネートシート６及び塗膜７が隣接する境界領域Ｒｅ（図２〜図４）では、当該ラミネートシート６及び塗膜７が互いに重なり合っている。なお、当該境界領域Ｒｅの詳細については後述する。
【００３７】
カバー部材８は、第１カバー部材８１と、第２カバー部材８２とを備える。
第１カバー部材８１は、上枠２１に取り付けられる第１上カバー部材８１１と、下枠２２に取り付けられる第１下カバー部材８１２と、左縦枠２３に取り付けられる第１左カバー部材８１３と、右縦枠２４に取り付けられる第１右カバー部材８１４とを備える。
これら各カバー部材８１１〜８１４は、塩化ビニル樹脂（ＰＶＣ）等の樹脂製、またはアルミニウム等の金属製の外観色の色合いを有する部材であり、全長に亘って略一様な断面視Ｌ字形状を有する。また、これら各カバー部材８１１〜８１４は、上枠２１、下枠２２、左縦枠２３、及び右縦枠２４の全長とそれぞれ略同一の長さ寸法を有する。
そして、各カバー部材８１１〜８１４は、室外側壁部２１２と第１壁部２１７との間に位置する収容溝２１６の底部分をそれぞれ覆うように、上枠２１、下枠２２、左縦枠２３、及び右縦枠２４に対してそれぞれ取り付けられる。
【００３８】
第２カバー部材８２は、上枠２１に取り付けられる第２上カバー部材８２１と、下枠２２に取り付けられる室内用下カバー部材８２２及び室外用下カバー部材８２３と、右縦枠２４に取り付けられる第２右カバー部材８２４とを備える。
これら各カバー部材８２１〜８２４は、塩化ビニル樹脂（ＰＶＣ）等の樹脂製、またはアルミニウム等の金属製の部材であり、全長に亘って略一様な断面視Ｕ字形状を有する。また、室内用下カバー部材８２２は、内観色の色合いを有する。一方、第２上カバー部材８２１、室外用下カバー部材８２３、及び第２右カバー部材８２４は、外観色の色合いを有する。さらに、第２上カバー部材８２１は、上枠２１の全長の略半分の長さ寸法を有する。また、室内用下カバー部材８２２及び室外用下カバー部材８２３は、同一の外形形状を有し、下枠２２の全長の略半分の長さ寸法をそれぞれ有する。さらに、第２右カバー部材８２４は、右縦枠２４の全長と略同一の長さ寸法を有する。
【００３９】
そして、第２上カバー部材８２１は、第１，第２壁部２１７，２１８の間に位置する収容溝２１６の底部分において、外障子３及び内障子４にて開口部Ｏｐを閉塞した時に室外側からの見え掛かり部分となる当該内障子４の室外側の部分を覆うように、上枠２１に対して取り付けられる。また、室内用下カバー部材８２２は、第１，第２壁部２１７，２１８の間に位置する収容溝２１６の底部分において、外障子３及び内障子４にて開口部Ｏｐを閉塞した時に室内側からの見え掛かり部分となる当該外障子３の室内側の部分を覆うように、下枠２２に対して取り付けられる。さらに、室外用下カバー部材８２３は、第１，第２壁部２１７，２１８の間に位置する収容溝２１６の底部分において、外障子３及び内障子４にて開口部Ｏｐを閉塞した時に室外側からの見え掛かり部分となる当該内障子４の室外側の部分を覆うように、下枠２２に対して取り付けられる。また、第２右カバー部材８２４は、第１，第２壁部２１７，２１８の間に位置する収容溝２１６の底部分を覆うように、右縦枠２４に対して取り付けられる。
【００４０】
〔ラミネートシート及び塗膜が隣接する境界領域〕
図５は、ラミネートシート６及び塗膜７が隣接する境界領域Ｒｅを示す図である。
本実施の形態１では、境界領域Ｒｅでは、着色層７１上にラミネートシート６が重なり合い、当該ラミネートシート６上に透明保護層７２が重なり合うように構成されている。
すなわち、本実施の形態１では、窓枠２を製造する際、境界領域Ｒｅで着色層７１上にラミネートシート６が重なるように、形材に対して、塗膜形成工程により一旦、着色層７１を形成した後、ラミネートシート貼付工程によりラミネートシート６を貼り付ける。次に、境界領域Ｒｅでラミネートシート６上に透明保護層７２が重なるように、改めて塗膜形成工程を行うことで、透明保護層７２を形成する。そして、切断工程及び枠組み工程を行うことにより、窓枠２が製造される。
【００４１】
（実施の形態２）
次に、本発明の実施の形態２について説明する。
以下の説明では、実施の形態１と同様の構成には同一符号を付し、その詳細な説明は省略または簡略化する。
図６は、本実施の形態２に係る境界領域Ｒｅを示す図である。
本実施の形態２に係る境界領域Ｒｅでは、ラミネートシート６上に塗膜７（着色層７１及び透明保護層７２）が重なり合うように構成されている。
すなわち、本実施の形態２では、窓枠２を製造する際、境界領域Ｒｅでラミネートシート６上に塗膜７が重なるように、形材に対して、ラミネートシート貼付工程によりラミネートシート６を貼り付けた後、塗膜形成工程により塗膜７を形成する。そして、切断工程及び枠組み工程を行うことにより、窓枠２が製造される。
【００４２】
（実施の形態３）
次に、本発明の実施の形態３について説明する。
以下の説明では、実施の形態１と同様の構成には同一符号を付し、その詳細な説明は省略または簡略化する。
図７は、本実施の形態３に係る境界領域Ｒｅを示す図である。
本実施の形態３に係る境界領域Ｒｅでは、着色層７１上にラミネートシート６が重なり合うとともに、当該着色層７１上における当該ラミネートシート６を避けた領域に透明保護層７２が積層されている。
すなわち、本実施の形態３では、窓枠２を製造する際、着色層７１の一部が透明保護層７２からはみ出るように、形材に対して、塗膜形成工程により塗膜７を形成する。次に、当該はみ出した着色層７１上にラミネートシート６が重なるように、ラミネート貼付工程によりラミネートシート６を貼り付ける。そして、切断工程及び枠組み工程を行うことにより、窓枠２が製造される。
【００４３】
（その他の実施の形態）
ここまで、本発明を実施するための形態を説明してきたが、本発明は上述した実施の形態１〜３によってのみ限定されるべきものではない。
上述した実施の形態１〜３では、本発明に係る建具を引違い窓に採用していたが、これに限らない。例えば、３枚以上の障子が左右方向にスライドする引違い方式の窓や両袖片引き窓や引き分け窓、枠体内の領域が縦骨により区分けされ、区分けされた一方の領域がＦＩＸ窓や壁をなす片引き窓、障子が上下方向にスライド移動する上げ下げ窓、障子が見込み方向に開閉するすべり出し窓、１枚の障子をはめ殺したはめ殺し窓、勝手口ドア、玄関ドア、あるいは、カーテンウォール等、各種の建具に本発明を採用しても構わない。
【００４４】
上述した実施の形態１〜３では、室外側壁部２１２と第１壁部２１７との間に位置する収容溝２１６の底部分を第１カバー部材８１により加飾していたが、これに限らず、塗膜７により加飾しても構わない。
上述した実施の形態１〜３では、窓枠２及び第１，第２框部材３２，４２における下地の色合いを内観色とし、ラミネートシート６、塗膜７、及びカバー部材８を外観色としていたが、これに限らず、以下の構成を採用しても構わない。
すなわち、窓枠２及び第１，第２框部材３２，４２において、外障子３及び内障子４にて開口部Ｏｐを閉塞した時での室内側からの見え掛かり部分をラミネートシート６、塗膜７、及びカバー部材８により加飾する。そして、当該ラミネートシート６、塗膜７、及びカバー部材８を内観色とする。また、窓枠２、第１，第２框部材３２，４２、及び網戸框５２における下地の色合いを外観色とする。
また、建具１において、外障子３及び内障子４にて開口部Ｏｐを閉塞した時での室内側からの見え掛かり部分と室外側からの見え掛かり部分との双方をラミネートシート６、塗膜７、及びカバー部材８により加飾する。そして、室内側からの見え掛かり部分に設けられたラミネートシート６、塗膜７、及びカバー部材８を内観色とする。また、室外側からの見え掛かり部分に設けられたラミネートシート６、塗膜７、及びカバー部材８を外観色とする。
【符号の説明】
【００４５】
１  建具、２  窓枠、３  外障子、４  内障子、５  網戸、６  ラミネートシート、７  塗膜、８  カバー部材、３１  面材、３２  第１框部材（フレーム材）、４１  面材、４２  第２框部材（フレーム材）、５２  網戸框（フレーム材）、７１  着色層、７２  透明保護層、２１６  収容溝、２１７  第１壁部（第１レール部）、２１８  第２壁部（第２レール部）、Ｏｐ  開口部、Ｒｅ  境界領域
【図１】
2018193703.tif 000003
【図２】
2018193703.tif 000004
【図３】
2018193703.tif 000005
【図４】
2018193703.tif 000006
【図５】
2018193703.tif 000007
【図６】
2018193703.tif 000008
【図７】
2018193703.tif 000009